【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
ＩＳ機で形成された後のガラス容器を熱的に強化するための装置であって、
前記ガラス容器を再加熱して、前記ガラス容器の内部に適切な圧縮応力を得るのには十分に高いが、前記ガラス容器が変形するほど高くない温度まで上昇させる焼き戻しのガラス焼きなまし炉と、
中の前記ガラス容器の応力のすべてが固定されるように、前記ガラス容器の外面および内面を、同時に急速に冷却する冷却ステーションと
を備え、前記冷却ステーションが、
前記冷却ステーションの中に配置されたガラス容器の外側に冷却用空気を導く冷却囲い板、
冷却用空気を、上方へ、前記冷却ステーションの中に配置された前記ガラス容器の底面に導く底面冷却器、および
前記冷却ステーションの中に配置された前記ガラス容器の内部に挿入するための冷却管を備え、
前記冷却ステーションが、
前記冷却ステーションの中に配置された前記ガラス容器の内部へ冷却用空気を配送するための前記冷却管の遠位端に配置された管ノズルであって、前記管ノズルが、前記冷却ステーションの中に配置された前記ガラス容器に前記冷却管および前記管ノズルが挿入されるときに、前記冷却ステーションの中に配置された前記ガラス容器の内面に冷却用空気を導くように構成して配置され、前記冷却ステーションの中に配置された前記ガラス容器の内面の実質的にすべてを急速に冷却するように、前記冷却ステーションの中に配置された前記ガラス容器の中に空気流れパターンを設定する管ノズル
をさらに備え、
前記管ノズルは、前記ガラス容器の前記底面に冷却用空気を導くように構成される中央の開口と、前記中央の開口に全体的に平行な方向に冷却用空気を導くように構成される前記中央の開口から半径方向外側に配置される複数の外側の冷却用の開口と、前記外側の冷却用の開口から半径方向外側に前記冷却ステーション内に配置された前記ガラス容器の前記内側に向かって冷却用空気を導くように構成される方向変更部分と、を含む、装置。
【請求項２】
前記底面冷却器が冷却ノズルを備え、前記管ノズルが、
前記冷却管の遠位端で、その内径に挿入される第１の円筒状の部分と、
前記冷却管の遠位端に接し、前記第１の円筒状の部分に隣接して外側に延在するフランジと、
を備え、前記空気方向変更部分が、前記第１の円筒状の部分の反対側のフランジに取り付けられる、請求項１に記載の装置。
【請求項３】
前記複数の外側の冷却用の開口は、前記管ノズルを通って長手方向に延在する、請求項２に記載の装置。
【請求項４】
前記中央に配置される冷却用の前記開口が、前記第１の円筒状の部分、前記フランジ、および前記空気方向変更部分を通って長手方向に延在し、
前記複数の外側の冷却用の開口が、前記第１の円筒状の部分および前記フランジを通って長手方向に延在する、請求項３に記載の装置。
【請求項５】
前記中央に配置された冷却開口が、前記複数の外側の冷却用の開口の直径より大きな直径を有する請求項４に記載の装置。
【請求項６】
前記外側の冷却用の開口が、おおよそ６個存在する請求項４に記載の装置。
【請求項７】
前記空気方向変更部分が、前記複数の外側の冷却用の開口からの前記冷却用空気の方向を、横方向に、前記冷却ステーションの中に配置された前記ガラス容器の内側へと変更するための実質的に円錐台の部分を備える請求項４に記載の装置。
【請求項８】
前記円錐台の部分が、垂直からおおよそ３０度の角度で外側に広がる請求項７に記載の装置。
【請求項９】
前記外側の冷却用の開口の直径の部分が、前記第１の円筒状の部分の外周と一致する請求項４に記載の装置。
【請求項１０】
前記冷却管を通って前記管ノズルに供給される前記冷却用空気の圧力が、おおよそ２．７バール±０．７バールである請求項１に記載の装置。
【請求項１１】
前記冷却管が、前記冷却ステーションの中に配置された前記ガラス容器の内面全体を冷却するために、前記冷却ステーションの中に配置された前記ガラス容器の内部で前記管ノズルを上下に移動させるように振動し、
前記底面冷却器は、前記冷却囲い板の外の壊れたガラスの通過を可能とするように構成された中央開口を含む環状の底面冷却器である、請求項１に記載の装置。
【請求項１２】
ＩＳ機で形成された後のガラス容器を熱的に強化するための装置であって、
前記ガラス容器を再加熱して、前記ガラス容器の内部に適切な圧縮応力を得るのには十分に高いが、前記ガラス容器が変形するほど高くない温度まで上昇させる焼き戻しのガラス焼きなまし炉、
中の前記ガラス容器の応力のすべてが固定されるように、冷却ステーションの中の前記ガラス容器の外面および内面を、同時に急速に冷却する冷却ステーションと
を備え、前記冷却ステーションが、
前記冷却ステーションの中に配置されたガラス容器の外側に冷却用空気を導く冷却囲い板、
冷却用空気を、上方へ、前記冷却ステーションの中に配置された前記ガラス容器の底面に導く底面冷却ノズル、および
前記冷却ステーションの中に配置された前記ガラス容器の内部に挿入するための冷却管
を備え、
前記冷却ステーションが、前記冷却ステーションの中に配置された前記ガラス容器の内部へ冷却用空気を配送するための前記冷却管の遠位端に配置された管ノズルをさらに備え、
前記管ノズルが、前記冷却ステーションの中に配置された前記ガラス容器に前記冷却管および前記管ノズルが挿入されるときに、前記冷却ステーションの中に配置された前記ガラス容器の内面に冷却用空気を導くように構成して配置され、前記冷却ステーションの中に配置された前記ガラス容器の内面の実質的にすべてを急速に冷却するように、前記冷却ステーションの中に配置された前記ガラス容器の中に空気流れパターンを設定し、
前記管ノズルが、前記管ノズルに供給される前記冷却用空気の流れを、前記冷却ステーションの中に配置された前記ガラス容器の内部の底面の方へ導くように構成して配置された中央に配置された冷却開口を有し、
前記管ノズルが、前記冷却用空気の方向を、前記冷却ステーションの中に配置された前記ガラス容器の内面の全周のまわりへと変更するように総体として構成して配置されている、前記中央に配置された冷却開口から半径方向外側に配置される半径方向外側の複数の冷却用の開口および気流方向変更装置も有し、
前記中央に配置された冷却開口は前記気流方向変更装置を通って延びる、装置。
【請求項１３】
側壁と、端壁と、内部と、外面および内面とを有するガラス容器を熱的に強化するための装置であって、
前記ガラス容器が炉の中で加熱された後に前記ガラス容器の前記外面および内面を同時に冷却するように構成されている冷却ステーションを備え、前記冷却ステーションが、
前記ガラス容器の内部に挿入するように構成され、内側の第１の直径を有する冷却管と、
上部と下部とを有するノズルであって、前記上部が、中央の冷却開口を画定する内面と外面とを有する全体として円筒状の部分を含み、前記上部が前記外面に画定された複数の溝を含み、前記上部が第２の直径を有し、前記下部が前記第２の直径より大きい第３の直径を有し、前記上部が前記冷却管に受け入れられるように構成されており、前記第３の直径が前記第１の直径より大きく、前記中央の冷却開口および前記溝がそれぞれ前記下部を通って延び、前記中央の冷却開口および前記溝がそれぞれ前記冷却管から冷却用空気を受けて該冷却用空気を前記ガラス容器の前記内部内へ導くように構成して配置された管ノズルとを備える装置。
【請求項１４】
前記ノズルは、前記下部に連結される環状の円錐台状の部分を含み、前記中央の冷却開口は前記環状の円錐台状の部分を通って延在し、また前記ガラス容器の内部の中へ前記環状の円錐台状の部分を通して下方へ冷却用空気を導くように構成されており、前記環状の円錐台状の部分は外側の角度をつけた面を有し、前記溝は前記外側の角度をつけた面に向かって冷却用空気を導くように構成され、前記外側の角度をつけた面は前記溝から前記ガラス容器の前記側壁に向かって前記冷却用空気の方向を変えるように構成されている、請求項１３に記載の装置。